(57)【要約】【課題】調湿建材等の調湿材をうまく機能させて、快適な湿度環境を形成することができる、調湿建材等の調湿材を使用した室用の調湿システムを提供する。【解決手段】調湿機能付きエアコン２と、寝室等の室１に備えられている調湿材の含水率を検知する含水率センサー５と、含水率センサー５からの信号に基づいて、調湿材の含水率を、室内に湿度変化の要因があるにもかかわらず室内の湿度が希望の時間一定の値を維持するよう調湿材に調湿作用を行わせるのに必要な含水率に調整する運転をエアコン２に行わせる制御をする制御部６とが備えられている。その場合に、室内の湿度を検知する湿度センサー４が備えられ、制御部６が、調湿材の含水率の調整運転中、湿度センサー４からの信号に基づいて、室内の湿度を希望の湿度に調整する制御を行うようになされているとなおよい。【選択図】      図１
2006292274.tif 000002
【特許請求の範囲】
【請求項１】
調湿機と、
室に備えられている調湿材の含水率を検知する含水率センサーと、
該含水率センサーからの信号に基づいて、調湿材の含水率を、室内に湿度変化の要因があるにもかかわらず室内の湿度が希望の時間一定の値を維持するよう調湿材に調湿作用を行わせるのに必要な含水率に調整する運転を調湿機に行わせる制御をする制御手段と
が備えられていることを特徴とする調湿材を使用した室用の調湿システム。
【請求項２】
更に、室内の湿度を検知する湿度センサーが備えられ、
前記制御手段が、調湿材の含水率の調整運転中、湿度センサーからの信号に基づいて、室内の湿度を希望の湿度に調整する制御を行うようになされている請求項１に記載の調湿材を使用した室用の調湿システム。
【発明の詳細な説明】
【技術分野】
【０００１】
本発明は、夏季の寝室空調などに好適に用いることができる、調湿建材等の調湿材を使用した室用の調湿システムに関する。
【背景技術】
【０００２】
湿度面での快適な住環境を形成する目的で、様々な調湿建材が提供されているが、自然の成り行きまかせのパッシブな湿度調整だけでは、調湿建材は調湿のスピードも遅く調湿する量も少ないため、調湿建材をうまく機能させて、快適な湿度環境を形成するのは難しい。
【０００３】
例えば、寝室において、夏季の寝苦しい夜に、就寝前にエアコンを希望の温度、希望の湿度に設定して寝室を冷房、除湿し、そして、エアコンを切ってから就寝するという使われ方は、就寝中、からだにエアコンの風が当たるのを嫌う人の多くが行うことである。
【０００４】
発明者は、そのような使われ方において、寝室が調湿建材を用いて形成されている場合と、そうでない場合とで、快適さにどのような違いを生じるかを実験的に検証してみた。すると、図５及び図６に示すように、いずれの場合も、エアコンを切った後は、就寝時から朝にかけて、温度も湿度も上昇していき、不快な朝を迎えてしまうのであった。ただ、寝室が調湿建材を用いて形成されている場合は、図５に示すように、就寝前の冷房除湿作用によってわずかに調湿建材の水分含有率が低くなるが、そのことで、就寝時から朝にかけて寝室の湿度の上昇が抑えられるということは実質的になかった。
【０００５】
このことは、寝室において、冬季の低温で乾燥した夜に、就寝前に加湿機能付きエアコン、あるいは、エアコンと加湿機を、希望の温度、希望の湿度に設定して寝室を暖房、加湿し、そして、エアコン、加湿機を切ってから就寝するという場合でも、温度も湿度も下降していき、同様に不快な朝を迎えてしまう。
【発明の開示】
【発明が解決しようとする課題】
【０００６】
本発明は、上記のような問題点に鑑み、調湿建材等の調湿材をうまく機能させて、快適な湿度環境を形成することができる、調湿建材等の調湿材を使用した室用の調湿システムを提供することを課題とする。
【課題を解決するための手段】
【０００７】
上記の課題は、調湿機と、
室に備えられている調湿材の含水率を検知する含水率センサーと、
該含水率センサーからの信号に基づいて、調湿材の含水率を、室内に湿度変化の要因があるにもかかわらず室内の湿度が希望の時間一定の値を維持するよう調湿材に調湿作用を行わせるのに必要な含水率に調整する運転を調湿機に行わせる制御をする制御手段と
が備えられていることを特徴とする調湿材を使用した室用の調湿システムによって解決される。
【０００８】
この調湿システムでは、従来のように室内の湿度のみに基づいて調湿機を制御するというのではなく、調湿材の水分含有率に基づいて調湿機を制御するようにしたものであり、この制御による調整後、調湿機の運転を停止しても、室内の湿度は、湿度変化の要因があるにもかかわらず、調湿材による調湿作用によって、希望の時間一定の値を維持することができ、快適な湿度環境を形成、実現することができる。
【０００９】
上記のシステムにおいて、更に、室内の湿度を検知する湿度センサーが備えられ、
前記制御手段が、調湿材の含水率の調整運転中、湿度センサーからの信号に基づいて、室内の湿度を希望の湿度に調整する制御を行うようになされているとよい。
【００１０】
この場合は、室内を、希望湿度の状態にして、調湿材による調湿作用によって、希望の時間その希望湿度値を維持することができ、より一層快適な湿度環境を形成、実現することができる。
【発明の効果】
【００１１】
本発明は、以上のとおりのものであるから、調湿建材等の調湿材をうまく機能させて、快適な湿度環境を形成することができる。
【発明を実施するための最良の形態】
【００１２】
次に、本発明の実施最良形態を図面に基づいて説明する。
【００１３】
図１及び図２に示す実施形態のシステムは、寝室の空調に適用した場合のもので、寝室１は、図示しないが、調湿材として調湿建材を用いて形成された室からなっており、寝室１内には、図１（イ）（ロ）に示すように、加湿、除湿の両調湿機能を備えた調湿機としての冷暖房エアコン２と、寝室１の温度を検知する温度センサー３と、寝室１内の湿度を検知する湿度センサー４と、調湿建材の含水率を検知する含水率センサー５と、各センサー３，４，５からの検知信号に基づいてエアコン２の運転を制御する制御手段としての制御部６とが備えられている。なお、７は就寝用のベッドである。
【００１４】
そして、制御部６では、次のような制御が行われるようになされている。即ち、図２に示すように、スイッチをオンにしてスタートさせ、就寝開始時の希望室内温度と、希望室内湿度と、希望室内湿度を維持する希望の時間とを入力すると、それを読み込み（ステップＳ１）、希望時間その湿度を維持するには調湿建材の含水率をどのくらい落とせばよいかを算出する（ステップＳ２）。この算出は、寝室における調湿建材の施工面積や、居室の広さ、在室人数等を予め、あるいは、その場で入力し、そのデータに基づいて算出されることになる。
【００１５】
次いで、エアコン２に運転指令が出力され（ステップＳ３）、室内温度と、室内湿度と、調湿建材の含水率のすべてが、読み込み、算出した値に達したか否かを時間を追って判断していき（ステップＳ４）、達していなければ、判断を繰り返し、達したなら、その状態を維持する省エネ運転を継続するようになされている。
【００１６】
上記のシステムでは、夏季、就寝前において、寝室１の温度が例えば３０°Ｃ、湿度が７０％、調湿建材の含水率が２０ｖｏｌ％であった場合に、就寝時刻の何時間か前に、就寝開始時の希望室内温度２６°Ｃ、希望室内湿度を６０％、希望室内湿度を維持する希望の時間を例えば午後１１時から午前７時までの８時間と入力すると、制御部６が、室内湿度６０％を８時間維持するのに必要な調湿建材の含水率を例えば８ｖｏｌ％と算出する。
【００１７】
そして、該制御部６は、それらの値に基づいて、エアコン２の運転を開始させ、図３に示すように、寝室１の温度と湿度、そして、調湿建材の含水率のすべてを上記の値に達するようにエアコンを制御していく。こうして、上記の値に達し、維持運転状態になったら、スイッチをオフにして就寝する。
【００１８】
その結果、就寝中は、図３に示すように、温度と調湿建材の含水率は上昇していくが、調湿建材の含水率が上昇していくことによって、寝室１内の湿度は朝の起床時刻まで一定に保たれ、その間、エアコンの気流感にも悩まされることなく、気持ち良い朝を迎えることができる。調湿建材の含水率上昇は、例えば、人体から発する水蒸気などによるものである。
【００１９】
このように、上記のシステムによれば、調湿建材をエアコン２との組み合わせでうまく機能させて、夏の蒸し暑い夜に快適な湿度環境を形成することができる。
【００２０】
また、冬季も同様に、寝室の現在の温度、湿度、調湿建材の含水率に基づいて、就寝時刻の何時間か前に、就寝開始時の希望室内温度、希望室内湿度、希望室内湿度を維持する希望の時間を入力し、図４に示すように、寝室の温度と湿度、そして、調湿建材の含水率のすべてが入力、算出した値に達してから、スイッチをオフにして就寝すれば、寝室１内の湿度は朝の起床時刻まで一定に保たれ、その間、エアコンの気流感にも悩まされることなく、気持ち良い朝を迎えることができる。
【００２１】
以上に、本発明の実施形態を示したが、本発明はこれに限られるものではなく、発明思想を逸脱しない範囲で各種の変更が可能である。例えば、上記の実施形態では、寝室１内の湿度のほか、温度も制御するようにした場合を示したが、湿度のみの制御であってもよい。従って、調湿機は、調湿機能を有するエアコンでなくてもよく、冷暖房機能のない除湿機や加湿機であってもよい。また、希望湿度の入力、それに伴って行われる湿度制御運転は、省略されてよい。
【００２２】
また、本発明のシステムは、寝室への適用に限らないし、就寝中の室内の湿度をコントロールする目的以外の目的で用いられてもよい。
【００２３】
更に、上記の実施形態では、調湿材が、調湿建材である場合を示したが、非建材の調湿材を使用した室に用いることも可能である。
【図面の簡単な説明】
【００２４】
【図１】実施形態のシステムを示すもので、図（イ）は室内の透視図、図（ロ）はシステムの構成を示すブロック図である。
【図２】システムが行う制御のフローチャート図である。
【図３】夏季就寝に用いた場合の寝室の温度、調湿建材の含水率及び寝室の湿度と、時間との関係を互いに関連付けて示したグラフ図である。
【図４】冬季就寝に用いた場合の寝室の温度、調湿建材の含水率及び寝室の湿度と、時間との関係を互いに関連付けて示したグラフ図である。
【図５】本発明と関連する技術を示すもので、夏季就寝時の寝室の温度、調湿建材の含水率及び寝室の湿度と、時間との関係を互いに関連付けて示したグラフ図である。
【図６】本発明と関連する他の技術を示すもので、夏季就寝時の寝室の温度、調湿建材の含水率及び寝室の湿度と、時間との関係を互いに関連付けて示したグラフ図である。
【符号の説明】
【００２５】
１…調湿建材を使用した寝室
２…エアコン（調湿機）
４…湿度センサー
５…含水率センサー
６…制御部（制御手段）
【図１】
2006292274.tif 000003
【図２】
2006292274.tif 000004
【図３】
2006292274.tif 000005
【図４】
2006292274.tif 000006
【図５】
2006292274.tif 000007
【図６】
2006292274.tif 000008